(57)【要約】【課題】弁室１４のＹ軸方向一方の端部に設けられた第１弁座１５のＹ軸方向他方の面に接した状態でＹ軸方向に長手の操作軸４と一体に回転する第１弁体２を備える三方弁において、第１弁座１５と第１弁体２との間にＹ軸方向の隙間を生ずることを防止できるようにする。【解決手段】操作軸４のＹ軸方向他方の端部周面に設けた凸部４２のＹ軸方向他方の端面に、周方向一方に向けてＹ軸方向一方に傾斜したカム部４２ａ１を設ける。また、操作軸４のＹ軸方向他方の端部が挿入支持される支持孔１９の周面に設けた、凸部４２を受け入れる凹部１９ａのＹ軸方向他方の端面に、操作軸４を回転規制される位置まで回転させたときにカム部４２ａ１が乗り上げて操作軸４をＹ軸方向一方に押圧するガイド部１９ｄ１を設ける。【選択図】図１
2018080714.tif 000002
【特許請求の範囲】
【請求項１】
第１と第２と第３の３個のポートと、第１ポートの軸線方向に隣接し、第１ポートに常時連通する弁室とを有するバルブケーシング内に、弁室と第２ポートとを連通する第１開口部を有する第１弁座に対し移動して第１開口部の開度を可変する第１弁体と、弁室と第３ポートとを連通する第２開口部を有する第２弁座に対し移動して第２開口部の開度を可変する第２弁体とが配置された三方弁であって、
第１ポートの軸線方向をＸ軸方向、Ｘ軸方向に直交する方向をＹ軸方向として、第１弁体と第２弁体は、Ｙ軸方向に長手の共通の操作軸の正逆一方への回転に伴う第１と第２の両弁体の移動で第１開口部の開度が増加すると共に第２開口部の開度が減少し、操作軸の正逆他方への回転に伴う第１と第２の両弁体の移動で第１開口部の開度が減少すると共に第２開口部の開度が増加するように構成され、
バルブケーシングのＹ軸方向一方の端部外面に電動モータが配置され、操作軸のＹ軸方向一方の端部がバルブケーシングのＹ軸方向一方の端部に形成した貫通孔を通して電動モータに連結されると共に、操作軸のＹ軸方向他方の端部がバルブケーシングのＹ軸方向他方の端部に設けた支持孔に挿入支持され、更に、貫通孔とこれに挿通される操作軸との間の隙間をシールするシール部材が設けられるものにおいて、
第１弁座と第２弁座とのうち少なくとも一方の弁座は、弁室のＹ軸方向一方又は他方の端部にＹ軸方向に直交するように設けられ、第１弁体と第２弁体のうち一方の弁座に対し移動する一方の弁体は、一方の弁座のＹ軸方向他方の面に接した状態で操作軸の軸線回りに回転するように操作軸に連結された板材で構成され、
操作軸のＹ軸方向他方の端部の周面に凸部、支持孔の周面に凸部を受け入れる円弧状の凹部が夫々設けられ、操作軸の回転範囲が凹部の周方向一方の側面と他方の側面への凸部の当接で規制されるようにし、
凸部のＹ軸方向他方の端面に、周方向一方に向けてＹ軸方向一方に傾斜した第１カム部と、周方向他方に向けてＹ軸方向一方に傾斜した第２カム部との少なくとも一方が形成されると共に、凹部のＹ軸方向他方の端面に、凹部の周方向一方の側面に凸部が当接する回転規制位置に操作軸が回転するときに第１カム部が乗り上げて操作軸をＹ軸方向一方に押圧する第１ガイド部と、凹部の周方向他方の側面に凸部が当接する回転規制位置に操作軸が回転するときに第２カム部が乗り上げて操作軸をＹ軸方向一方に押圧する第２ガイド部との少なくとも一方が設けられることを特徴とする三方弁。
【請求項２】
請求項１記載の三方弁であって、第１弁座と第２弁座とのうち他方の弁座は、弁室のＹ軸方向と同等方向に沿う周面の一部分に設けられたＹ軸方向と同等方向に直交する断面形状が円弧状の湾曲面を持つ弁座で構成され、第１弁体と第２弁体とのうち他方の弁体は、Ｙ軸方向と同等方向に直交する断面形状が円弧状の湾曲面を持ち、この湾曲面が他方の弁座に接した状態で操作軸の軸線回りに旋回するように操作軸に連結された弁体で構成されることを特徴とする三方弁。
【発明の詳細な説明】
【技術分野】
【０００１】
本発明は、第１と第２と第３の３個のポートと、第１ポートの軸線方向に隣接し、第１ポートに常時連通する弁室とを有するバルブケーシング内に、弁室と第２ポートとを連通する第１開口部を有する第１弁座に対し移動して第１開口部の開度を可変する第１弁体と、弁室と第３ポートとを連通する第２開口部を有する第２弁座に対し移動して第２開口部の開度を可変する第２弁体とが配置された分配弁や混合弁として用いる三方弁に関する。
【背景技術】
【０００２】
従来の三方弁では、一般的に、第１ポートの軸線方向をＸ軸方向、Ｘ軸方向に直交する方向をＹ軸方向として、第１弁座と第２弁座を弁室のＹ軸方向一方の端部と他方の端部にＹ軸方向に直交するように設け、Ｙ軸方向に長手の操作軸をＹ軸方向に進退自在として、第１弁体と第２弁体を、弁室内で夫々第１弁座と第２弁座に対しＹ軸方向に対向するように操作軸に連結している（例えば、特許文献１参照）。この場合、操作軸のＹ軸方向一方への移動で、第１弁体が第１弁座に接近、第２弁体が第２弁座から離隔して、第１開口部の開度が減少すると共に第２開口部の開度が増加し、また、操作軸のＹ軸方向他方への移動で、第１弁体が第１弁座から離隔、第２弁体が第２弁座に接近して、第１開口部の開度が増加すると共に第２開口部の開度が減少する。
【０００３】
然し、このものでは、操作軸の駆動源たる電動モータの回転運動を操作軸の直線運動に変換する送りねじ機構が必要になり、コストアップを招く不具合がある。そこで、特許文献２により、送りネジ機構を不要とした三方弁も従来知られている。
【０００４】
この三方弁は、旧来の三方弁と同様に、第１弁座と第２弁座を弁室のＹ軸方向一方の端部と他方の端部にＹ軸方向に直交するように設けるが、Ｙ軸方向に長手の操作軸はその軸線回りに回転自在とし、第１と第２の各弁体を、夫々第１と第２の各弁座のＹ軸方向一方の面に接した状態で操作軸の軸線回りに回転するように操作軸に連結した板材で構成している。そして、操作軸の正逆一方への回転に伴う第１と第２の両弁体の回転で第１開口部の開度が増加すると共に第２開口部の開度が減少し、操作軸の正逆他方への回転に伴う第１と第２の両弁体の回転で第１開口部の開度が減少すると共に第２開口部の開度が増加するようにしている。また、特許文献２に記載の三方弁では、バルブケーシングのＹ軸方向一方の端部外面に電動モータを配置し、操作軸のＹ軸方向一方の端部をバルブケーシングのＹ軸方向一方の端部に形成した貫通孔を通して電動モータに連結し、更に、貫通孔とこれに挿通される操作軸との間の隙間をシールするシール部材を設けている。
【０００５】
ここで、特許文献２に記載のものは、第１と第２の各弁体を第１と第２の各弁座のＹ軸方向一方の面に押し付けることができない構造になっている。そのため、第１弁体と第１弁座との間や第２弁体と第２弁座との間にＹ軸方向の隙間を生ずることがある。そして、この隙間からの流体の漏れによって分配比（分配弁として用いる場合）や混合比（混合弁として用いる場合）の調節精度が悪くなる不具合がある。
【先行技術文献】
【特許文献】
【０００６】
【特許文献１】特開２０１０−３８３３６号公報
【特許文献２】特開２０１３−８３３４５号公報
【発明の概要】
【発明が解決しようとする課題】
【０００７】
本発明は、以上の点に鑑み、第１弁座と第２弁座とのうち少なくとも一方の弁座とこれに接した状態で回転する一方の弁体との間にＹ軸方向の隙間を生ずることを防止できるようにした三方弁を提供することをその課題としている。
【課題を解決するための手段】
【０００８】
上記課題を解決するために、本発明は、第１と第２と第３の３個のポートと、第１ポートの軸線方向に隣接し、第１ポートに常時連通する弁室とを有するバルブケーシング内に、弁室と第２ポートとを連通する第１開口部を有する第１弁座に対し移動して第１開口部の開度を可変する第１弁体と、弁室と第３ポートとを連通する第２開口部を有する第２弁座に対し移動して第２開口部の開度を可変する第２弁体とが配置された三方弁であって、第１ポートの軸線方向をＸ軸方向、Ｘ軸方向に直交する方向をＹ軸方向として、第１弁体と第２弁体は、Ｙ軸方向に長手の共通の操作軸の正逆一方への回転に伴う第１と第２の両弁体の移動で第１開口部の開度が増加すると共に第２開口部の開度が減少し、操作軸の正逆他方への回転に伴う第１と第２の両弁体の移動で第１開口部の開度が減少すると共に第２開口部の開度が増加するように構成され、バルブケーシングのＹ軸方向一方の端部外面に電動モータが配置され、操作軸のＹ軸方向一方の端部がバルブケーシングのＹ軸方向一方の端部に形成した貫通孔を通して電動モータに連結されると共に、操作軸のＹ軸方向他方の端部がバルブケーシングのＹ軸方向他方の端部に設けた支持孔に挿入支持され、更に、貫通孔とこれに挿通される操作軸との間の隙間をシールするシール部材が設けられるものにおいて、第１弁座と第２弁座とのうち少なくとも一方の弁座は、弁室のＹ軸方向一方又は他方の端部にＹ軸方向に直交するように設けられ、第１弁体と第２弁体のうち一方の弁座に対し移動する一方の弁体は、一方の弁座のＹ軸方向他方の面に接した状態で操作軸の軸線回りに回転するように操作軸に連結された板材で構成され、操作軸のＹ軸方向他方の端部の周面に凸部、支持孔の周面に凸部を受け入れる円弧状の凹部が夫々設けられ、操作軸の回転範囲が凹部の周方向一方の側面と他方の側面への凸部の当接で規制されるようにし、凸部のＹ軸方向他方の端面に、周方向一方に向けてＹ軸方向一方に傾斜した第１カム部と、周方向他方に向けてＹ軸方向一方に傾斜した第２カム部との少なくとも一方が形成されると共に、凹部のＹ軸方向他方の端面に、凹部の周方向一方の側面に凸部が当接する回転規制位置に操作軸が回転するときに第１カム部が乗り上げて操作軸をＹ軸方向一方に押圧する第１ガイド部と、凹部の周方向他方の側面に凸部が当接する回転規制位置に操作軸が回転するときに第２カム部が乗り上げて操作軸をＹ軸方向一方に押圧する第２ガイド部との少なくとも一方が設けられることを特徴とする。
【０００９】
本発明によれば、操作軸を凹部の周方向一方の側面と他方の側面の何れかに凸部が当接する回転規制位置まで回転させることにより、第１カム部と第２カム部との何れかが第１ガイド部と第２ガイド部との何れかに乗り上げて操作軸がＹ軸方向一方に押圧され、一方の弁体が一方の弁座のＹ軸他方の面に押し付けられる。その後、カム部がガイド部から離れて、操作軸の押圧が解除されても、操作軸はシール部材の摩擦力によりＹ軸方向一方の押圧位置に保持され、一方の弁体は一方の弁座のＹ軸他方の面に押し付けられたままになる。そのため、一方の弁座と一方の弁体との間にＹ軸方向の隙間を生ずることがなく、分配比や混合比の調節精度が悪くなることを防止できる。
【００１０】
また、本発明において、第１弁座と第２弁座とのうち他方の弁座は、弁室のＹ軸方向と同等方向に沿う周面の一部分に設けられたＹ軸方向と同等方向に直交する断面形状が円弧状の湾曲面を持つ弁座で構成され、第１弁体と第２弁体とのうち他方の弁体は、Ｙ軸方向と同等方向に直交する断面形状が円弧状の湾曲面を持ち、この湾曲面が他方の弁座に接した状態で操作軸の軸線回りに旋回するように操作軸に連結された弁体で構成されることが望ましい。これによれば、第２ポートと第３ポートとのうち他方の弁座に形成する開口部を介して弁室に連通するポートをその少なくとも一部が弁室に対しＹ軸方向にオーバーラップするように配置することが可能になる。そのため、弁室に対しＹ軸方向一方と他方に離れた部分に夫々第２ポートと第３ポートを配置せざるを得ない従来例の三方弁に比し、Ｙ軸方向寸法を短縮して、三方弁の小型化を図ることができる。
【図面の簡単な説明】
【００１１】
【図１】本発明の実施形態の三方弁の切断側面図。
【図２】図１のＩＩ−ＩＩ線で切断した断面図。
【図３】図１のＩＩＩ−ＩＩＩ線で切断した断面図。
【図４】図１の矢印ＩＶ方向から見た第２弁座と第２弁体の展開側面図。
【図５】実施形態の三方弁の要部の分解斜視図。
【図６】実施形態の三方弁の操作軸の図５とは反対側から見た斜視図。
【図７】図１のＶＩＩ−ＶＩＩ線で切断した展開断面図。
【発明を実施するための形態】
【００１２】
図１を参照して、本発明の実施形態の三方弁Ａは、熱交換器ａを有する給湯器において、給水路ｂからの水を熱交換器ａに並列のバイパス水路ｃと熱交換器ａに連なる熱交水路ｄとに分配する分配弁として用いられるものである。この三方弁Ａは、給水路ｂを接続する第１ポート１１と、バイパス水路ｃを接続する第２ポート１２と、熱交水路ｄを接続する第３ポート１３と、第１ポート１１の軸線方向に隣接し、第１ポート１１に常時連通する弁室１４とを有するバルブケーシング１を備えている。
【００１３】
バルブケーシング１内には、弁室１４と第２ポート１２とを連通する第１開口部１５ａを有する第１弁座１５に対し移動して第１開口部１５ａの開度を可変する第１弁体２と、弁室１４と第３ポート１３とを連通する第２開口部１６ａを有する第２弁座１６に対し移動して第２開口部１６ａの開度を可変する第２弁体３と、第１と第２の両弁体２，３を移動させる共通の操作軸４とが配置されている。
【００１４】
以下、第１ポート１１の軸線方向（図１の上下方向）をＸ軸方向、Ｘ軸方向に直交する方向（図１の左右方向）をＹ軸方向として、第１と第２の各弁座１５，１６と、第１と第２の各弁体２，３と、操作軸４とについて図２乃至図７も参照して詳述する。
【００１５】
操作軸４は、Ｙ軸方向に長手である。また、バルブケーシング１のＹ軸方向一方（図１で右方）の端部外面にはステッピングモータから成る電動モータ５が配置されている。そして、操作軸４のＹ軸方向一方の端部をバルブケーシング１のＹ軸方向一方の端部に形成した貫通孔１７を通して電動モータ５に連結している。尚、貫通孔１７に挿通される操作軸４の部分には、貫通孔１７からの水漏れを防止するＯリングから成るシール部材４１が装着されている。また、バルブケーシング１は、弁室１４のＹ軸方向他方（図１で左方）の端部に装着される栓体１８を備えており、この栓体１８に形成した支持孔１９に操作軸４のＹ軸方向他方の端部が挿入支持されている。
【００１６】
第１弁座１５は、弁室１４のＹ軸方向一方の端部にＹ軸方向に直交するように設けられている。弁室１４から第１ポート１１に向かう方向をＸ軸方向一方として、第１弁座１５のＸ軸方向一方の半部には、操作軸４が挿通される中央部の孔１５ｂより外側に位置させて、図２、図５に示す如く、半周に亘る円弧状の第１開口部１５ａが形成されている。尚、本実施形態では、第１弁座１５を、バルブケーシング１の本体とは別体の部材で構成しているが、バルブケーシング１の本体に第１弁座１５を一体成形することも可能である。
【００１７】
第１弁体２は、第１弁座１５のＹ軸方向他方の面に接した状態で操作軸４の軸線回りに回転するように操作軸４に連結された扇形の板材で構成されている。そして、第１開口部１５ａを全開状態とする開き位置と、全開位置から１８０°回転した、第１開口部１５ａを全閉状態とする閉じ位置との間で第１弁体２が操作軸４と一体に正逆一方と他方に回転するようにしている。尚、本実施形態では、第１弁体２を操作軸４に一体成形しているが、操作軸４にこれとは別体の第１弁体を連結してもよい。
【００１８】
図３乃至図５も参照して、第２弁座１６は、弁室１４のＹ軸方向と同等方向に沿う周面の一部分、より具体的には、弁室１４の周面の第１ポート１１に対する連通口１１ａとＸ軸方向反対側に位置する部分（連通口１１ａから周方向に１８０°離れた部分）に設けられた、Ｙ軸方向と同等方向に直交する断面形状が円弧状の湾曲面を持つ弁座で構成されている。第２弁座１６には、第１ポート１１とＹ軸方向同等位置に第２開口部１６ａが開設されている。そして、第３ポート１３を、第１ポート１１とＹ軸方向同等位置に、第３ポート１３の軸線がＹ軸方向と同等方向に直交するように設けている。ここで、上記「Ｙ軸方向と同等方向」には、Ｙ軸方向に完全に合致する方向だけでなく、Ｙ軸方向に対し若干傾斜した方向も含まれる。尚、本実施形態では、第２弁座１６を栓体１８に一体成形しているが、バルブケーシング１の本体に第２弁座１６を一体成形することも可能である。また、栓体１８には、第２弁座１６のＹ軸方向一方の端部に位置させて、第１弁座１５に第１弁体２を挟んで対峙する端板部１８ａが設けられており、この端板部１８ａに、第２弁体３及び操作軸４を挿通可能な孔１８ｂを形成している。
【００１９】
第２弁体３は、Ｙ軸方向に直交する断面形状が円弧状の湾曲面を持ち、この湾曲面が第２弁座１６に接した状態で操作軸４の軸線回りに旋回するように操作軸４に連結された弁体で構成される。そして、第１弁体２の開き位置では、第２弁体３が第２開口部１６ａの開度を最小とする閉じ位置に存し、第１弁体２の閉じ位置では、第２弁体３が第２開口部１６ａを全開状態とする開き位置に存するようにしている。従って、第１弁体２が閉じ位置、第２弁体３が開き位置に存する状態（図２、図３に示す状態）から操作軸４を正転方向（図２、図３で反時計方向）に回転させると、第１開口部１５ａの開度が増加すると共に第２開口部１６ａの開度が減少して、バイパス水路ｃへの分配比が増加し、第１弁体２が開き位置、第２弁体３が閉じ位置に存する状態から操作軸４を逆転方向（図２、図３で時計方向）に回転させると、第１開口部１５ａの開度が減少すると共に第２開口部１６ａの開度が増加して、バイパス水路ｃへの分配比が減少する。
【００２０】
尚、本実施形態では、第２弁体３の閉じ位置で第２開口部１６ａが完全に閉塞されないようにしているが、これは熱交水路ｄに僅かでも通水して、バイパス水路ｃへの分配比の急激な上昇を抑えるためである。第２弁体３の閉じ位置で第２開口部１６ａを全閉状態にすることも勿論可能である。また、本実施形態では、第２弁体３を操作軸４に一体成形しているが、操作軸４にこれとは別体の第２弁体を連結してもよい。
【００２１】
ここで、弁室１４の操作軸４の軸線に合致する中心位置から第２弁座１６の湾曲面までの距離Ｌ１は、当該中心位置から連通口１１ａまでの距離Ｌ２よりも短い。そのため、第２弁体３が閉じ位置から開き位置に１８０°旋回しても、連通口１１ａと第２弁体３との間に隙間が確保されて、第１ポート１１から弁室１４に流体が流入する。従って、操作軸４の１８０°の回転範囲でバイパス水路ｃへの分配比が徐々に可変するように設計でき、分配比調節の分解能が向上する。また、本実施形態では、第１開口部１５ａの逆転方向側の半部を先細り形状に形成すると共に、第２弁体３及び第２開口部１６ａのＹ軸方向他方の側縁を正転方向に向けてＹ軸方向一方に傾斜させて、分配比調節の分解能を一層向上できるようにしている。
【００２２】
尚、本実施形態では、第２弁座１６を連通口１１ａから周方向に１８０°離れた弁室１４の周面部分に設けているが、連通口１１ａから周方向に１８０°以外の角度、例えば９０°離れた弁室１４の周面部分に第２弁座１６を設けることも可能である。この場合は、弁室１４の中心位置から第２弁座１６の湾曲面までの距離を当該中心位置から連通口１１ａまでの距離より短くしなくてもよい。
【００２３】
また、本実施形態では、操作軸４のＹ軸方向他方の端部の周面に、図６に示す如く凸部４２を形成すると共に、支持孔１９の周面に、凸部４２を受け入れる円弧状の凹部１９ａを形成して、操作軸４の回転範囲が凹部１９ａの周方向一方の側面１９ｂと他方の側面１９ｃへの凸部４２の当接で規制されるようにしている。そして、凹部１９ａの周方向一方の側面１９ｂに凸部４２が当接する一方の回転規制位置に操作軸４が回転したとき、第１弁体２が閉じ位置、第２弁体３が開き位置となり、凹部１９ａの周方向他方の側面１９ｃに凸部４２が当接する他方の回転規制位置に操作軸４が回転したとき、第１弁体２が開き位置、第２弁体３が閉じ位置となるようにしている。
【００２４】
ここで、上記の如く第２弁座１６を弁室１４のＹ軸方向と同等方向に沿う周面部分に設ければ、第２弁座１６に形成する第２開口部１６ａを介して弁室１４に連通する第３ポート１３をその少なくとも一部が弁室１４に対しＹ軸方向にオーバーラップするように配置することが可能になる。そのため、弁室１４に対しＹ軸方向他方に離れた部分に第３ポート１３を配置せざるを得ない従来例の三方弁に比し、Ｙ軸方向寸法を短縮して、三方弁の小型化を図ることができる。特に、本実施形態の如く、第３ポート１３を、第１ポート１１とＹ軸方向同等位置に、第３ポート１３の軸線がＹ軸方向と同等方向に直交するように設ければ、三方弁のＹ軸方向寸法を可及的に短縮できる。
【００２５】
ところで、第１弁体２を第１弁座１５のＹ軸方向他方の面に押し付けないと、第１弁座１５と第１弁体２との間にＹ軸方向の隙間を生じ、この隙間からの流体の漏れによって分配比の調節精度が悪くなってしまうことがある。この場合、第１弁体１５に端板部１８ａを当接させて、第１弁体１５を第１弁座１５のＹ軸方向他方の面に押し付けることも考えられる。然し、この方式は、寸法公差により端板部１８ａが第１弁体２に強く当たり過ぎて、操作軸４が回転不能になってしまうことがあるため、実用的ではない。
【００２６】
そこで、本実施形態では、図６、図７に示す如く、操作軸４のＹ軸方向他方の端部周面に設けた凸部４２のＹ軸方向他方の端面に、周方向一方に向けてＹ軸方向一方に傾斜した第１カム部４２ａ１と、周方向他方に向けてＹ軸方向一方に傾斜した第２カム部４２ａ２とを形成すると共に、支持孔１９の周面に設けた凹部１９ａのＹ軸方向他方の端面に、凹部１９ａの周方向一方の側面１９ｂに凸部４２が当接する一方の回転規制位置に操作軸４が回転するときに第１カム部４２ａ１が乗り上げて操作軸４をＹ軸方向一方に押圧する第１ガイド部１９ｄ１と、凹部１９ａの周方向他方の側面１９ｃに凸部４２が当接する他方の回転規制位置に操作軸４が回転するときに第２カム部４２ａ２が乗り上げて操作軸４をＹ軸方向一方に押圧する第２ガイド部１９ｄ２とを設けている。
【００２７】
これによれば、試運転時や電動モータ（ステッピングモータ）５のゼロ点修正のための脱調時等に操作軸４を一方又は他方の回転規制位置に回転させることで、第１又は第２のカム部４２ａ１，４２ａ２が第１又は第２のガイド部１９ｄ１，１９ｄ２に乗り上げて、操作軸４がＹ軸方向一方に押圧され、第１弁体２が第１弁座１５のＹ軸方向他方の面に押し付けられる。その後、第１又は第２のカム部４２ａ１，４２ａ２が第１又は第２のガイド部１９ｄ１，１９ｄ２から離れて、操作軸４の押圧が解除されても、操作軸４はシール部材４１の摩擦力によりＹ軸方向一方の押圧位置に保持され、第１弁体２は第１弁座１５のＹ軸他方の面に押し付けられたままになる。そのため、第１弁座１５と第１弁体２との間にＹ軸方向の隙間を生ずることがなく、分配比の調節精度が悪くなることを防止できる。
【００２８】
以上、本発明の実施形態について図面を参照して説明したが、本発明はこれに限定されない。例えば、上記実施形態の第３ポート１３、第２弁座１６及び第２弁体３を第２ポート、第１弁座及び第１弁体に置換すると共に、上記実施形態の第２ポート１２、第１弁座１５及び第１弁体２を第３ポート、第２弁座及び第２弁体に置換した三方弁を構成することも可能である。また、第１弁座１５と第１弁体２を上記実施形態と同様に構成するが、第２弁座は弁室のＹ軸方向他方の端部にＹ軸方向に直交するように設けられるものとし、第２弁体を、第２弁座のＹ軸方向他方の面に接した状態で操作軸の軸線回りに回転するように操作軸に連結した板材で構成することも可能である。更に、凸部４２のＹ軸方向他方の端面に、第１カム部４２ａ１と第２カム部４２ａ２との一方のみを形成すると共に、凹部１９ａのＹ軸方向の端面に、第１ガイド部１９ｄ１と第２ガイド部１９ｄ２との一方のみを形成してもよい。また、上記実施形態の三方弁Ａは分配弁として用いられるものであるが、第２ポート１２と第３ポート１３から２種類の流体を流入させ、第１ポート１１から混合流体を流出させる混合弁として用いる三方弁にも同様に本発明を適用できる。
【符号の説明】
【００２９】
１…バルブケーシング、１１…第１ポート、１２…第２ポート、１３…第３ポート、１４…弁室、１５…第１弁座、１５ａ…第１開口部、１６…第２弁座、１６ａ…第２開口部、１９…支持孔、１９ａ…凹部、１９ｂ…凹部の周方向一方の側面、１９ｃ…凹部の周方向他方の側面、１９ｄ１…第１ガイド部、１９ｄ２…第２ガイド部、２…第１弁体、３…第２弁体、４…操作軸、４１…シール部材、４２…凸部、４２ａ１…第１カム部、４２ａ２…第２カム部。
【図１】
2018080714.tif 000003
【図２】
2018080714.tif 000004
【図３】
2018080714.tif 000005
【図４】
2018080714.tif 000006
【図５】
2018080714.tif 000007
【図６】
2018080714.tif 000008
【図７】
2018080714.tif 000009